(57)【特許請求の範囲】
【請求項１】
楽器本体内に配置された鍵盤を含む演奏部を前後方向にスライド式に開閉する鍵盤楽器の鍵盤蓋装置であって、
前記楽器本体に設けられ、前記演奏部を開閉する鍵盤蓋と、
左右方向に延び、軸線方向に伸縮可能で、前記鍵盤蓋に回転可能に設けられた回転軸と、
この回転軸の左右端部に一体に設けられた左右一対のピニオンと、
前記楽器本体に設けられ、前記鍵盤蓋の左右端よりも外方の位置において前後方向に延び、前記一対のピニオンがそれぞれ噛み合う一対のラックと、
前記楽器本体に設けられ、前記鍵盤蓋の左右端よりも外方の位置において前記ラックに沿って前後方向に延び、前記回転軸の左右端部がそれぞれ係合し、前記鍵盤蓋の前後方向へのスライドを案内する一対の案内溝をそれぞれ有する一対のガイドと、
を備え、
前記回転軸は、軸線方向に沿って配置され、相対的に軸線方向に移動可能な金属製の２つの軸部材と、前記回転軸の中央部に設けられ、相対的に移動した位置において前記２つの軸部材を互いに固定する金属製の固定具と、を有することを特徴とする鍵盤楽器の鍵盤蓋装置。
【請求項２】
前記２つの軸部材の各々は、中空のパイプ状に形成され、前記固定具側の端部に軸線方向に延びる長孔を有し、
前記固定具は、
ねじ穴を有し、前記軸部材の前記端部に差し込まれた丸棒状の連結棒と、
前記軸部材の前記長孔に通され、前記連結棒の前記ねじ穴にねじまれたねじと、を有することを特徴とする請求項１に記載の鍵盤楽器の鍵盤蓋装置。
【発明の詳細な説明】
【０００１】
【発明の属する技術分野】
本発明は、鍵盤蓋の前後方向へのスライドにより、電子ピアノなどの鍵盤楽器の鍵盤を含む演奏部を開閉する鍵盤楽器の鍵盤蓋装置に関する。
【０００２】
【従来の技術】
従来、この種の鍵盤蓋装置として、例えば図１０に示すものが知られている。この鍵盤蓋装置５０は、電子ピアノ６０に適用されたものであり、鍵盤蓋５１を備えている。この鍵盤蓋５１は、電子ピアノ６０の演奏部を閉鎖する位置（図１０に実線で示す位置）と、これを開放する位置（図１０に２点鎖線で示す位置）との間で、前後方向にスライド自在にピアノ本体６１に取り付けられている。
【０００３】
図１１に示すように、鍵盤蓋５１は、横長の矩形板状の蓋本体５２と、この蓋本体５２の前後端部にそれぞれねじ止めされた横長の蓋前付５３および蓋後付５４などを備えている。蓋前付５３の下端部には、左右の前突起５３ａ，５３ａが設けられている。これらの前突起５３ａ，５３ａはそれぞれ、蓋前付５３の左右端から左右の外方に突出している。
【０００４】
また、図１２に示すように、蓋後付５４の下端部には、回転軸５５が回転自在に取り付けられている。この回転軸５５の左右端部には、左右のギヤ部材５６がそれぞれ差し込まれ、取り付けられている。各ギヤ部材５６は、外側から順に後突起５６ａおよびピニオン５６ｂなどを一体に並設したものであり、ねじ５７により、回転軸５５に固定されている。このねじ５７は、ギヤ部材５６の長孔５６ｃに通され、回転軸５５にねじ込まれている。
【０００５】
一方、ピアノ本体６１の左右の腕木６１ａ，６１ａにはそれぞれ、左右の前ガイドレール６２，６２と、左右の後ガイドレール６３，６３とが取り付けられている。各前ガイドレール６２は、腕木６１ａに沿って斜め前下がりに前後方向に延びており、全長にわたって形成された前ガイド溝６２ａを備えている。この前ガイド溝６２ａに、上記前突起５３ａがスライド可能に係合している。
【０００６】
また、各後ガイドレール６３は、腕木６１ａに沿って前後方向に延びており、一体に形成された後ガイド溝６３ａおよびラック６３ｂを備えている。これらの後ガイド溝６３ａおよびラック６３ｂは、図示しないが、いずれも上方に凸に緩やかに湾曲しながら前後方向に延び、後ガイドレール６３のほぼ全長にわたって形成されている。また、この後ガイド溝６３ａに、上記後突起５６ａがスライド可能に係合している。さらに、ラック６３ｂに、前述したピニオン５６ｂが噛み合っている。また、ラック６３ｂ，６３ｂの上側には、鍵盤蓋５１の左右端部が平面的にオーバーラップしている（図１０参照）。
【０００７】
以上により、手で鍵盤蓋５１を手前に引いたり、奥側に押したりすると、前突起５３ａが前ガイドレール６２により、後突起５６ａが後ガイドレール６３によりそれぞれ案内されるとともに、ピニオン５６ｂがラック６３ｂに噛み合いながら回転する。これにより、鍵盤蓋５１が平面的に見てピアノ本体６１に対して傾くことなく、前後方向に移動する。
【０００８】
また、電子ピアノ６０の組立時には、その腕木６０ａ，６０ａ間の実際の間口に応じて、ギヤ部材５６，５６を左右の後ガイド溝６３ａ，６３ａに対して適切な位置関係で係合させるために、回転軸５５の間口方向の長さ調整作業を行う。具体的には、回転軸５５に対する各ギヤ部材５６の左右方向の位置をずらし、各ギヤ部材５６が各後ガイド溝６３ａに係合する適切な位置を探すとともに、この探した適切な位置で、ねじ５７により、各ギヤ部材５６を回転軸５５に固定する。さらに、メンテナンス時などに、鍵盤蓋５１をピアノ本体６１から取り外すときには、ねじ５７を回し、ギヤ部材５６を、ねじ５７を中心に長孔５６ｃに沿って内側に移動させ、回転軸５５を縮めることにより、回転軸５５を後ガイドレール６３から外す。次に、前突起５３ａ，５３ａを前ガイドレール６２，６２の後端の開口から外す。以上により、鍵盤蓋５１をピアノ本体６１から取り外す。また、鍵盤蓋５１をピアノ本体６１に取り付けるときには、以上とは逆の順序で取付作業を行うとともに、上記回転軸５５の長さ調整作業を行う。
【０００９】
【発明が解決しようとする課題】
上記従来の鍵盤蓋装置５０によれば、電子ピアノ６０の組立時やメンテナンス時などにおける、鍵盤蓋５１の着脱作業や回転軸５５の間口方向の長さ調整作業の際に、回転軸５５を伸縮させるために、回転軸５５の左右端部に設けられたねじ５７，５７を回し、同じく左右端部に設けられたギヤ部材５６，５６を軸線方向に移動させなければならないので、この作業が容易ではない。また、ラック６３ｂ，６３ｂが上方に凸に湾曲し、かつ鍵盤蓋５１の左右端部が左右のラック６３ｂ，６３ｂの上側にそれぞれ平面的にオーバーラップしているので、例えば鍵盤蓋５１の設計変更により、蓋本体５２を厚くしようすると、鍵盤蓋５１がスライドする際に、そのオーバーラップ部分の下面がラック６３ｂに当たってしまう。また、特に鍵盤蓋５１が開閉時に自重で閉まるのを防止するために、例えばラック６３ｂを後ろ下がりに配置すると、上記と同様にオーバーラップ部分の下面がラック６３ｂに当たってしまうことがある。このように、蓋本体５２を厚くできないなど、鍵盤蓋５１の設計の自由度が低い。
【００１０】
本発明は、上記課題を解決するためになされたもので、鍵盤蓋の着脱作業および鍵盤蓋の回転軸の長さ調整作業を容易に行うことができるとともに、設計の自由度を向上させることができる鍵盤楽器の鍵盤蓋装置を提供することを目的とする。
【００１１】
【課題を解決するための手段】
この目的を達成するために、請求項１に係る発明は、楽器本体内に配置された鍵盤を含む演奏部を前後方向にスライド式に開閉する鍵盤楽器の鍵盤蓋装置であって、楽器本体に設けられ、演奏部を開閉する鍵盤蓋と、左右方向に延び、軸線方向に伸縮可能で、鍵盤蓋に回転可能に設けられた回転軸と、この回転軸の左右端部に一体に設けられた左右一対のピニオンと、楽器本体に設けられ、鍵盤蓋の左右端よりも外方の位置において前後方向に延び、一対のピニオンがそれぞれ噛み合う一対のラックと、楽器本体に設けられ、鍵盤蓋の左右端よりも外方の位置においてラックに沿って前後方向に延び、回転軸の左右端部がそれぞれ係合し、鍵盤蓋の前後方向へのスライドを案内する一対の案内溝をそれぞれ有する一対のガイドと、を備え、回転軸は、軸線方向に沿って配置され、相対的に軸線方向に移動可能な金属製の２つの軸部材と、回転軸の中央部に設けられ、相対的に移動した位置において２つの軸部材を互いに固定する金属製の固定具と、を有することを特徴とする。
【００１２】
この鍵盤楽器の鍵盤蓋装置によれば、鍵盤蓋を前後方向にスライドさせることにより、演奏部が開閉される。また、この鍵盤蓋のスライドの際、回転軸は、その左右端部が一対のガイドの案内溝に案内されるとともに、一対のピニオンが一対のラックに噛み合うことにより、回転する。これにより、スライドする際の鍵盤蓋の左右端部の移動距離が同じになるので、鍵盤蓋を左右のバランスの悪い状態で開閉させたときでも、鍵盤蓋が平面的に傾くことなく前後方向に円滑に移動する。また、回転軸が伸縮可能であるので、これを縮めることにより、歯車とラックの噛み合い、および回転軸の左右端部と案内溝の係合をそれぞれ解除することができる。これにより、鍵盤蓋の着脱作業や回転軸の長さ調整作業を行うことができる。さらに、鍵盤蓋の左右端よりも外方の位置において、回転軸の歯車とラックが噛み合い、かつ回転軸の左右端部が一対のガイドの案内溝に係合するので、従来の鍵盤蓋装置と異なり、鍵盤蓋の左右端部がラックやガイドに平面的にオーバーラップしない。これにより、例えば鍵盤蓋の厚さを変更したときやラックを後ろ下がりに配置したときなどでも、鍵盤蓋がラックやガイドに干渉することがなくなり、その結果、鍵盤蓋の設計の自由度を向上させることができる（なお、本明細書では、ピン歯車（ｐｉｎ  ｗｈｅｅｌ）を含めてラックに噛み合いながら回転するものを「ピニオン」という）。これに加えて、回転軸の中央部において、固定具による２つの軸部材の固定を解除し、これらを相対的に軸線方向に移動させることにより、回転軸を伸縮させることができるとともに、相対的に移動した位置において２つの軸部材を互いに固定することにより、回転軸の長さを調整することができる。このように、鍵盤蓋の着脱作業および鍵盤蓋の回転軸の長さ調整作業を、回転軸の中央部において行うことができるので、従来と異なり、これらの作業を容易に行うことができる。
【００１３】
請求項２に係る発明は、請求項１に記載の鍵盤楽器の鍵盤蓋装置において、２つの軸部材の各々は、中空のパイプ状に形成され、固定具側の端部に軸線方向に延びる長孔を有し、固定具は、ねじ穴を有し、軸部材の端部に差し込まれた丸棒状の連結棒と、軸部材の長孔に通され、連結棒のねじ穴にねじまれたねじと、を有することを特徴とする。
【００１４】
この鍵盤楽器の鍵盤蓋装置によれば、２つの軸部材を連結棒およびねじによって互いに固定することができる。
【００１５】
【発明の実施の形態】
以下、図面を参照しながら、本発明の一実施形態に係る鍵盤楽器の鍵盤蓋装置について説明する。図１〜図３は、この鍵盤蓋装置を適用した電子ピアノ（鍵盤楽器）を示している。この電子ピアノ２は、図示しないが、グランドピアノタイプのものであり、ピアノ本体３（楽器本体）と、このピアノ本体３の演奏部４を開閉する鍵盤蓋１０を有する鍵盤蓋装置１などを備えている。ピアノ本体３は、木質合板や鋼材などを組み立てたものであり、前後方向に延びる左右の腕木７，７（１つのみ図示）を備えている。これらの左右の腕木７，７の間の演奏部４には、鍵盤５および操作パネル６などが配置されている。
【００１６】
左右の腕木７，７の内面には、前後方向に延びる前後の凹部が形成されており、これらの前後の凹部には、前後のガイドレール８，９が嵌め込まれている。左右の前ガイドレール８および後ガイドレール９は、左右対称に配置されている。
【００１７】
各前ガイドレール８は、腕木７の内面に沿って、ピアノ本体３の口棒３ａの上端部付近から上方に延び、その上端から後ガイドレール９の前端に向かって斜め後ろ上がりに延びるとともに、後端部は前後方向に水平に延びている。前ガイドレール８は、内側に開口する断面コ字状の樹脂成形品で構成されており、この開口部分が前ガイド溝８ａになっている。この前ガイド溝８ａは、前ガイドレール８の全長にわたって形成されており、後端が開口している。また、前ガイドレール８は、その内端が腕木７の内面と面一の状態で、腕木７にねじ止めされている。
【００１８】
また、図４に示すように、各後ガイドレール９（ガイド）は、前後方向に長く延びるように取り付けられており、後ガイド溝９ａ、ラック９ｂおよび転動面９ｃを備えている。これらの後ガイド溝９ａ、ラック９ｂおよび転動面９ｃは、外側から順に並設され、互いに一体に形成されている。また、これらはいずれも、上方に凸に緩やかに湾曲しながら前後方向に延び、前端が後端よりも高くなるように後ろ下がりに配置されているとともに、後ガイドレール９の全長にわたって形成されている。さらに、後ガイド溝９ａの前後端は、後述する突起２３ｂがこの前後端から抜け出ないように閉じている。
【００１９】
後ガイド溝９ａ（案内溝）は、断面矩形で、内側に開口している（図９参照）。また、ラック９ｂは、後ガイド溝９ａの底面よりも若干低い位置に配置され、転動面９ｃは、ラック９ｂの歯の下端よりも若干低い位置に配置されている。
【００２０】
また、後ガイドレール９の転動面９ｃよりも下側の部分には、５つの孔９ｄが形成されている。これらの５つの孔９ｄは、前後方向に間隔を存して配置され、後ガイドレール９を左右方向に貫通している。後ガイドレール９は、各孔９ｄに通されたねじ（図示せず）によって、腕木７に固定されている。
【００２１】
一方、鍵盤蓋１０は、図１に示す演奏部４を閉鎖する閉鎖位置と、図２に示す演奏部４を開放する開放位置との間で、前後方向にスライド自在にピアノ本体３に取り付けられている。図５に示すように、この鍵盤蓋１０は、蓋本体１１、蓋前付１２、蓋金具１３、軸受１４および回転軸２０などで構成されている。この蓋本体１１は、横長の矩形板（例えば木製合板）を塗装したものであり、左右の腕木７，７の内面間の距離よりも若干小さい幅と、かつ蓋前付１２とともに演奏部４を覆うことが可能な奥行きとを有している。
【００２２】
蓋前付１２は、細長い板（例えばむく木板）を塗装したものであり、蓋本体１１と同じ幅を有している。蓋前付１２は、蓋本体１１の前端部に固定されており、鍵盤蓋１０が演奏部４を閉鎖しているときに、下端部が口棒３ａに当接する。蓋前付１２は、その外表面の左右の２箇所に配置された２つのつまみ１２ａ，１２ａと、下側の左右両端から外方に突出する左右一対のピン１２ｂ，１２ｂとを備えている。これらのつまみ１２ａ，１２ａは、鍵盤蓋１０を開閉する際に両手で操作するためのものである。
【００２３】
また、左右一対のピン１２ｂ，１２ｂはそれぞれ、断面円形の金属製（例えば鋼製）のものであり、左右の前ガイドレール８，８の前ガイド溝８ａ，８ａに係合しているとともに、蓋本体１１が左右方向にずれても前ガイド溝８ａ，８ａから抜けないような突出長さを有している。これにより、手で鍵盤蓋１０を手前に引いたり奥側に押したりすると、鍵盤蓋１０は、各ピン１２ｂが前ガイド溝８ａから外れることなく、これに案内されることにより、前後方向に移動する。
【００２４】
一方、蓋金具１３は、細長く断面Ｌ字形の比較的薄い金属板（例えば鋼板）で構成され、蓋本体１１と同じ横幅を有している。この蓋金具１３は、蓋本体１１の背面および下面に当接した状態で、蓋本体１１にねじ止めされている。
【００２５】
また、蓋本体１１には、４つの軸受１４が取り付けられている。これら４つの軸受１４は、左右方向にほぼ等間隔を存して配置されており、そのうちの２つの軸受１４，１４は蓋本体１１の左右端部にそれぞれ配置されている。図６および図７に示すように、各軸受１４は、比較的薄い金属板（例えば鋼板）を打ち抜き加工および曲げ加工することにより、取付部１４ａおよび軸受部１４ｂを一体にかつ互いに直角に形成したものである。この取付部１４ａは、矩形であり、２つのねじ１５，１５により、蓋金具１３の上面に当接した状態で、これと一体に蓋本体１１に固定されている。
【００２６】
また、軸受部１４ｂは、取付部１４ａの左端（図７の下端）に連続して後方（図７の右方）に延び、後半部が蓋本体１１よりも後方に突出するとともに、後半部はさらに上方に延びていて、前半部よりも高さが高くなっている。この軸受部１４ｂの後半部には、左右方向に貫通する丸孔１４ｃが形成されており、この丸孔１４ｃに軸受リング１６が嵌められている。
【００２７】
この軸受リング１６は、滑性を有する合成樹脂で構成されており、円環状の基部１６ａと、この基部１６ａの周方向に多数配置された左右の挟持部１６ｂとを一体に形成したものである。これらの左右の挟持部１６ｂは、基部１６ａの左右端部に連続し、かつ互いに所定間隔を存して外方に向かって放射状にそれぞれ延びている。軸受リング１６は、その基部１６ａが丸孔１４ｃに嵌合し、かつ多数の左右の挟持部１６ｂ，１６ｂの間に丸孔１４ｃの縁部を挟持した状態で、軸受１４に取り付けられている。
【００２８】
また、前述した回転軸２０は、４つの軸受１４の軸受リング１６の孔１６ｃに通され、これらの軸受１４により回転自在に支持されている。図８に示すように、この回転軸２０は、軸線方向に沿って配置された左右一対の軸部材２１，２１と、これらの軸部材２１，２１の内側の端部（以下「連結端部」という）間を連結する連結棒２２と、軸部材２１，２１の外側の端部（以下「取付端部」という）にそれぞれ取り付けられた左右一対のギヤ部材２３，２３などにより、左右対称に構成されている。
【００２９】
各軸部材２１は、左右方向に延び、両端が開口する中空の金属製（例えばアルミ合金製）の丸パイプで構成されている。各軸部材２１は、その外径が軸受リング１６の孔１６ｃよりも若干小さく、各２つの軸受１４の孔１６ｃに通され、回転自在に支持されている。また、軸部材２１の連結端部には、左右方向に延びる長孔２１ｂが形成されている。
【００３０】
一方、連結棒２２（固定具）は、軸部材２１と同材質の中実な丸棒で構成され、その外径が軸部材２１の内径よりも若干小さく、軸部材２１，２１の連結端部に差し込まれている。連結棒２２には、図示しない左右２つのねじ穴が形成されており、これらのねじ穴には、上記長孔２１ｂを介して２つの長さ調整ねじ２４，２４（固定具）がねじ込まれ、締めつけられている。これにより、連結棒２２および軸部材２１，２１は互いに一体に固定されている。
【００３１】
また、上述した各ギヤ部材２３は、合成樹脂で構成され、外側から順に同心状に並設されかつ一体に形成された突起２３ａ、ピニオン２３ｂ、ローラ２３ｃおよび挿入部２３ｄを備えている。この突起２３ａは、断面円形であり、図９に示すように、前述した後ガイドレール９の後ガイド溝９ａに係合している。ピニオン２３ｂは、突起２３ａよりも大径であり、前述したラック９ｂに噛み合っている。ローラ２３ｃは、断面円形でピニオン２３ｂよりも大径であり、前述した転動面９ｃに当接している。
【００３２】
また、挿入部２３ｄは、断面円形で、軸部材２１の取付端部に差し込まれている。さらに、ギヤ部材２３の内部には、心棒２５が同心状に埋め込まれており、この心棒２５は、金属製で、挿入部２３ｄから内方に突出している。
【００３３】
一方、軸部材２１の取付端部の所定位置には、軸線方向に間隔を存して連結ねじ２６および規制ねじ２７が取り付けられている。連結ねじ２６は、規制ねじ２７よりも外側に配置され、軸部材２１および挿入部２３ｄの孔（いずれも図示せず）を介して、心棒２５のねじ穴（図示せず）にねじ込まれ、締めつけられている。これにより、ギヤ部材２３は、軸部材２１に一体に固定されている。
【００３４】
また、規制ねじ２７は、鍵盤蓋１０に対する回転軸２０の左右方向へのずれを規制するものである。そのため、左右の規制ねじ２７，２７はそれぞれ、鍵盤蓋１０の左右端部に設けられた軸受１４，１４の内側に近接した位置に配置され、左右の軸部材２１，２１に取り付けられている。これにより、回転軸２０は、その左右端部が鍵盤蓋１０からほぼ同じ長さで外方に突出するように、規制される。
【００３５】
以上のように構成された鍵盤蓋装置１において、鍵盤蓋１０を開放するときには、つまみ１２ａ，１２ａを両手でつかみ、閉鎖状態（図１に示す状態）の鍵盤蓋１０を持ち上げながら後方に押す。この操作により、各ピン１２ｂおよび各突起２３ａがそれぞれ前後のガイド溝８ａ，９ａによって案内され、各ピニオン２３ｂがラック９ｂに噛み合いながら回転し、かつ各ローラ２３ｃが転動面９ｃ上を転動する。これにより、鍵盤蓋１０を後方にスライドさせ、開放することができる。
【００３６】
また、鍵盤蓋１０を閉鎖するときには、上記とは逆に、つまみ１２ａ，１２ａを手前に引くことにより、鍵盤蓋１０を前方にスライドさせ、閉鎖することができる。以上のように、鍵盤蓋１０を開閉する際、各ピニオン２３ｂが各ラック９ｂに噛み合いながら回転することにより、鍵盤蓋１０の左右端部の移動距離が同じになる。このため、例えば片方のつまみ１２ａを操作したときなど、左右のバランスが悪い状態で鍵盤蓋１０を開閉させたときでも、鍵盤蓋１０は平面的に傾くことなく、前後方向にスライドする。これにより、鍵盤蓋１０を円滑に開閉することができる。また、後ガイドレール９の後ガイド溝９ａおよびラック９ｂなどが後ろ下がりになっているので、鍵盤蓋１０を前述した開放位置に保持できるとともに、開放位置にある鍵盤蓋１０を閉鎖する際に、これを閉鎖位置に近い位置まで手前にスライドさせないと、鍵盤蓋１０が自重で閉まることがない。それにより、鍵盤蓋１０が誤って口棒３ａに衝突することなどを防止できる。
【００３７】
次に、電子ピアノ２の組立時に、鍵盤蓋装置１をピアノ本体３に組み付ける作業について説明する。まず、各前後のガイドレール８，９をピアノ本体３の各側板７の溝に嵌め込み、ねじ止めする。これとは別に、４つの長さ調整ねじ２４のうちの内側の２つを緩めた状態で、回転軸２０を鍵盤蓋１０に取り付けるとともに、各軸部材２１を、長さ調整ねじ２４を中心に長孔２１ｂに沿って内側にスライドさせることにより、回転軸２０を縮めた状態（図８に２点鎖線で示す状態）にする。
【００３８】
次いで、鍵盤蓋１０の各ピン１２ｂを、前ガイドレール８の後端の開口から差し込み、前ガイド溝８ａに係合させた後、各軸部材２１を外側にスライドさせることにより、回転軸２０を伸ばし、各突起２３ａを後ガイドレール９の後ガイド溝９ａに係合させる。
【００３９】
次に、回転軸２０の間口方向の長さ調整作業を行う。すなわち、左右の軸部材２１，２１を長孔２１ｂ，２１ｂに沿って左右方向にスライドさせ、鍵盤蓋１０の左右の突起２３ａ，２３ａの突出量を微調整することにより、各突起２３ａが後ガイド溝９ａに適切に係合し、各ピニオン２３ｂがラック９ｂに適切に噛み合うとともに、各ローラ２３ｃが転動面９ｃに適切に当接する状態にする。そして、このように、回転軸２０の長さを適切に調整した状態で、内側の２つの長さ調整ねじ２４，２４を連結棒２２に締めつけるとともに、外側の２つの長さ調整ねじ２４、２４を長孔２１ｂ，２１ｂに通し、連結棒２２にねじ込み、締めつける。以上により、鍵盤蓋１０は、前後のガイドレール８，９に沿って前後方向にスライド自在に、ピアノ本体３に取り付けられる。
【００４０】
一方、メンテナンス時などに、鍵盤蓋１０をピアノ本体３から取り外すときには、前述した組み付けるときと逆の手順で作業を行う。すなわち、４つの長さ調整ねじ２４のうちの外側の２つを外し、かつ内側の２つを緩め、各軸部材２１を長孔２１ｂに沿って内側にスライドさせることにより、回転軸２０の長さを縮める。これにより、回転軸２０を左右の後ガイドレール９，９から外す。次に、鍵盤蓋１０を後方に移動させ、ピン１２ｂ，１２ｂを左右の前ガイドレール８，８の後端の開口から外すことにより、鍵盤蓋１０をピアノ本体３から取り外す。また、鍵盤蓋１０をピアノ本体３に取り付けるときには、上述した組み付け時と同じ手順で作業を行うとともに、回転軸２０の間口方向の長さ調整作業も行う。以上により、鍵盤蓋１０をピアノ本体３に着脱することができる。
【００４１】
以上のように、本実施形態の鍵盤蓋装置１によれば、回転軸２０の中央部に配置された４つの長さ調整ねじ２４のうちの外側の２つを取り外し、内側の２つを緩め、左右の軸部材２１，２１および連結棒２２の固定を解除し、各軸部材２１を各長孔２１ｂに沿って左右方向に移動させることにより、回転軸２０を伸縮させることができる。これにより、鍵盤蓋１０をピアノ本体３から取り外すことができる。また、逆の手順で鍵盤蓋１０をピアノ本体３に取り付けることができる。さらに、４つの長さ調整ねじ２４のうち内側の２つ、またはすべてを締めつけることで、スライドさせた軸部材２１，２１を連結棒２２とともに一体に固定することができることにより、回転軸２０の長さを任意に調整することができる。以上のように、鍵盤蓋１０の着脱作業および回転軸２０の長さ調整作業を、回転軸２０の中央部において行うことができるので、従来と異なり、これらの作業を容易に行うことができる。
【００４２】
さらに、鍵盤蓋１０の左右端は、左右の後ガイドレール９，９の内側の端よりも内側に位置しているとともに、鍵盤蓋１０の左右端よりも外方の位置において、各突起２３ａが後ガイド溝９ａに係合し、各ピニオン２３ｂが各ラック９ｂに噛み合い、かつ各ローラ２３ｃが各転動面９ｃに当接している。このように、従来の鍵盤蓋装置と異なり、鍵盤蓋１０の左右端部がラック９ｂやガイドレール９に平面的にオーバーラップしていない。これにより、本実施形態のようにラック９ｂを後ろ下がりに配置したときや、例えば鍵盤蓋１０の厚さを変更したときなどでも、鍵盤蓋１０がラック９ｂやガイドレール９に干渉することがなくなり、その結果、鍵盤蓋１０の設計の自由度を向上させることができる。
【００４３】
なお、ピニオン２３ｂに代えて、ピン歯車を用いてもよく、ラック９ｂに噛み合いながら回転軸２０と一体に回転するものであればよい。また、回転軸２０は、連結棒２２を用いることなく、軸部材２１，２１同士を直接、連結するように構成してもよい。この場合、例えば一方の軸部材２１の連結端部にねじ穴を形成し、他方の軸部材２１の連結端部に長孔を形成するとともに、一方の軸部材２１の連結端部を他の部分よりも小径とし、これを他方の軸部材２１の連結端部に差し込み、ねじを長孔を介してねじ穴にねじ込むようにすればよい。
【００４４】
さらに、前後のガイドレール８，９を取り付ける部分は、腕木７に限らず、ピアノ本体３であればよい。例えば、前後のガイドレール８，９をピアノ本体３の屋根の下面に取り付け、垂下させるようにしてもよい。また、別体のガイドレール８，９を用いることなく、前ガイド溝８ａ、後ガイド溝９ａ、ラック９ｂおよび転動面９ｃを腕木７に直接、形成し、腕木７自体をガイドとして用いてもよい。
【００４５】
【発明の効果】
以上のように、本発明の鍵盤楽器の鍵盤蓋装置によれば、鍵盤蓋の着脱作業および鍵盤蓋の回転軸の長さ調整作業を容易に行うことができるとともに、設計の自由度を向上させることができる。
【図面の簡単な説明】
【図１】本発明の一実施形態に係る鍵盤蓋装置を適用した電子ピアノの鍵盤蓋を閉鎖した状態を示す側断面図である。
【図２】図１の電子ピアノの鍵盤蓋を開放した状態を示す側断面図である。
【図３】鍵盤蓋装置を示す一部を破断した平面図である。
【図４】後ガイドレールの側面図である。
【図５】（ａ）鍵盤蓋を示す底面図と（ｂ）その側面図である。
【図６】図５（ａ）のＡ−Ａ矢視断面図である。
【図７】図６のＢ−Ｂ矢視断面図である。
【図８】鍵盤蓋の回転軸を示す平面図である。
【図９】回転軸のギヤ部材および後ガイドレールを示す一部を破断した正面図である。
【図１０】従来の鍵盤蓋装置を示す一部を破断した平面図である。
【図１１】（ａ）従来の鍵盤蓋装置の鍵盤蓋を示す底面図と（ｂ）その側面図である。
【図１２】図１１の一部拡大図である。
【符号の説明】
１    鍵盤蓋装置
２    電子ピアノ（鍵盤楽器）
３    ピアノ本体（楽器本体）
４    演奏部
５    鍵盤
９    後ガイドレール（ガイド）
９ａ  後ガイド溝（案内溝）
９ｂ  ラック
１０    鍵盤蓋
２０    回転軸
２１    軸部材
２２    連結棒（固定具）
２３ａ  突起（回転軸の左右端部）
２３ｂ  ピニオン
２４    長さ調整ねじ（固定具）
【図１】
0004226191.tif 000002
【図２】
0004226191.tif 000003
【図３】
0004226191.tif 000004
【図４】
0004226191.tif 000005
【図５】
0004226191.tif 000006
【図６】
0004226191.tif 000007
【図７】
0004226191.tif 000008
【図８】
0004226191.tif 000009
【図９】
0004226191.tif 000010
【図１０】
0004226191.tif 000011
【図１１】
0004226191.tif 000012
【図１２】
0004226191.tif 000013